(57)【要約】  中継局（３０）は、ホームセルを提供する複数のホーム基地局（４０）のそれぞれと交換局（１０）との間の通信インタフェースを介した通信を中継する。中継局は、ホーム基地局を識別するための第１のデータ長を有するホーム基地局識別情報のうちの、ホームセルよりも広いマクロセルを提供するマクロ基地局（２０）を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが上記交換局と通信を行うために用いる通信インタフェースのうちの、当該中継局と当該交換局との間の部分としての交換局側通信インタフェースを、１つずつ確立するように構成される。
2014155513.tif 000002
【特許請求の範囲】
【請求項１】
ホームセルを提供する複数のホーム基地局のそれぞれと交換局との間の通信インタフェースを介した通信を中継する中継局であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、当該中継局と当該交換局との間の部分としての交換局側通信インタフェースを、１つずつ確立するように構成された中継局。
【請求項２】
請求項１に記載の中継局であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された通信部を備える中継局。
【請求項３】
請求項２に記載の中継局であって、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しないように構成された中継局。
【請求項４】
請求項３に記載の中継局であって、
前記送信された二次確立要求に含まれるマクロ基地局識別情報と、当該二次確立要求を送信する基となった前記一次確立要求に含まれるホーム基地局識別情報と、を対応付けて記憶する記憶部を備え、
前記通信部は、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しないように構成された中継局。
【請求項５】
請求項３又は請求項４に記載の中継局であって、
前記一次確立要求は、前記ホーム基地局の領域を表す領域情報を含み、
前記二次確立要求は、前記受信された一次確立要求に含まれる領域情報を含み、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信するように構成された中継局。
【請求項６】
請求項１乃至請求項５のいずれか一項に記載の中継局であって、
前記通信部は、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信するように構成された中継局。
【請求項７】
ホームセルを提供する複数のホーム基地局のそれぞれと交換局との間の通信インタフェースを介した通信を中継する中継局の制御方法であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、制御方法。
【請求項８】
請求項７に記載の制御方法であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、制御方法。
【請求項９】
請求項８に記載の制御方法であって、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しない、制御方法。
【請求項１０】
請求項９に記載の制御方法であって、
前記送信された二次確立要求に含まれるマクロ基地局識別情報と、当該二次確立要求を送信する基となった前記一次確立要求に含まれるホーム基地局識別情報と、を対応付けて記憶し、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しない、制御方法。
【請求項１１】
請求項９又は請求項１０に記載の制御方法であって、
前記一次確立要求は、前記ホーム基地局の領域を表す領域情報を含み、
前記二次確立要求は、前記受信された一次確立要求に含まれる領域情報を含み、
前記制御方法は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信する、制御方法。
【請求項１２】
請求項７乃至請求項１１のいずれか一項に記載の制御方法であって、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信する、制御方法。
【請求項１３】
ホームセルを提供する複数のホーム基地局のそれぞれと交換局との間の通信インタフェースを介した通信を中継する中継局を制御するための制御プログラムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、処理をコンピュータに実行させるための制御プログラム。
【請求項１４】
請求項１３に記載の制御プログラムであって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、処理をコンピュータに実行させるための制御プログラム。
【請求項１５】
請求項１４に記載の制御プログラムであって、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しない、処理をコンピュータに実行させるための制御プログラム。
【請求項１６】
請求項１５に記載の制御プログラムであって、
前記送信された二次確立要求に含まれるマクロ基地局識別情報と、当該二次確立要求を送信する基となった前記一次確立要求に含まれるホーム基地局識別情報と、を対応付けて記憶し、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しない、処理をコンピュータに実行させるための制御プログラム。
【請求項１７】
請求項１５又は請求項１６に記載の制御プログラムであって、
前記一次確立要求は、前記ホーム基地局の領域を表す領域情報を含み、
前記二次確立要求は、前記受信された一次確立要求に含まれる領域情報を含み、
前記制御プログラムは、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信する、処理をコンピュータに実行させるための制御プログラム。
【請求項１８】
請求項１３乃至請求項１７のいずれか一項に記載の制御プログラムであって、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信する、処理をコンピュータに実行させるための制御プログラム。
【請求項１９】
ホームセルを提供する複数のホーム基地局と、
前記複数のホーム基地局のそれぞれと交換局との間の通信インタフェースを介した通信を中継する中継局と、
を備える通信システムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立するように構成された通信システム。
【請求項２０】
請求項１９に記載の通信システムであって、
前記複数のホーム基地局のそれぞれは、
当該ホーム基地局を識別するためのホーム基地局識別情報を含むとともに、前記交換局と当該ホーム基地局との間の通信インタフェースを確立するための処理を要求する一次確立要求を前記中継局へ送信する第１の通信部を備え、
前記中継局は、
前記ホーム基地局から前記一次確立要求を受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された第２の通信部を備える通信システム。
【請求項２１】
請求項２０に記載の通信システムであって、
前記第２の通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しないように構成された通信システム。
【請求項２２】
請求項２１に記載の通信システムであって、
前記中継局は、
前記送信された二次確立要求に含まれるマクロ基地局識別情報と、当該二次確立要求を送信する基となった前記一次確立要求に含まれるホーム基地局識別情報と、を対応付けて記憶する記憶部を備え、
前記第２の通信部は、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しないように構成された通信システム。
【請求項２３】
請求項２１又は請求項２２に記載の通信システムであって、
前記一次確立要求は、前記ホーム基地局の領域を表す領域情報を含み、
前記二次確立要求は、前記受信された一次確立要求に含まれる領域情報を含み、
前記第２の通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信するように構成された通信システム。
【請求項２４】
請求項１９乃至請求項２３のいずれか一項に記載の通信システムであって、
前記第２の通信部は、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信するように構成された通信システム。
【発明の詳細な説明】
【技術分野】
【０００１】
本発明は、中継局、制御方法、制御プログラム、及び、通信システムに関する。
【背景技術】
【０００２】
マクロセルを提供するマクロ基地局と、マクロセルよりも狭いホームセルを提供するホーム基地局と、交換局と、を備える通信システムが知られている。例えば、マクロ基地局は、ＭｅＮＢ（Ｍａｃｒｏ  Ｅｖｏｌｖｅｄ  Ｎｏｄｅ  Ｂ）とも呼ばれる。また、例えば、ホーム基地局は、ＨｅＮＢ（Ｈｏｍｅ  Ｅｖｏｌｖｅｄ  Ｎｏｄｅ  Ｂ）とも呼ばれる。また、例えば、交換局は、ＭＭＥ（Ｍｏｂｉｌｉｔｙ  Ｍａｎａｇｅｍｅｎｔ  Ｅｎｔｉｔｙ）とも呼ばれる。【０００３】
マクロ基地局は、複数のセルを提供することが多い。このため、上記通信システムにおいては、マクロ基地局を識別するためのマクロ基地局識別情報と、当該マクロ基地局が提供するセルを識別するためのセル識別情報と、の組により、セルが識別される。ところで、ホーム基地局は、１つのセルのみを提供することが多い。一方、ホーム基地局の数は、マクロ基地局の数よりも多くなることが想定される。このため、ホーム基地局は、マクロ基地局識別情報よりもデータ長が長いホーム基地局識別情報により識別される。【０００４】
各マクロ基地局は、マクロ基地局識別情報を用いることにより、交換局と当該マクロ基地局との間の通信インタフェース（例えば、Ｓ１インタフェース）を確立する。また、各ホーム基地局は、ホーム基地局識別情報を用いることにより、交換局と当該ホーム基地局との間の通信インタフェースを確立する。交換局と各基地局（マクロ基地局及びホーム基地局のそれぞれ）とは、確立された通信インタフェースを介して通信を行う。【０００５】
また、ホーム基地局と交換局との間の通信インタフェースを介した通信を中継する中継局（例えば、ＨｅＮＢ  ＧＷ（Ｇａｔｅｗａｙ））が知られている（例えば、特許文献１及び非特許文献１を参照）。【０００６】
この種の中継局の一つは、ホーム基地局の数よりも少ない数の交換局側通信インタフェースを、中継局と交換局との間に確立する。ここで、交換局側通信インタフェースは、ホーム基地局が交換局と通信を行うために用いる通信インタフェースのうちの、中継局と交換局との間の部分である。【０００７】
これによれば、複数のホーム基地局のそれぞれが、互いに独立に、交換局との間に通信インタフェースを確立する場合と比較して、交換局と直接に通信を行う他局と交換局との間に確立される通信インタフェースの数を低減することができる。この結果、交換局の負荷を低減することができる。
【先行技術文献】
【特許文献】
【０００８】
【特許文献１】特開２０１２−４４３２０号公報
【非特許文献】
【０００９】
【非特許文献１】３ｒｄ  Ｇｅｎｅｒａｔｉｏｎ  Ｐａｒｔｎｅｒｓｈｉｐ  Ｐｒｏｊｅｃｔ，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅｓｃｒｉｐｔｉｏｎ；  Ｓｔａｇｅ  ２  （Ｒｅｌｅａｓｅ  ９）」，３ＧＰＰ  ＴＳ３６．３００，２０１１年１２月、Ｖ９．９．０．
【発明の概要】
【発明が解決しようとする課題】
【００１０】
ところで、交換局側通信インタフェースは、交換局と中継局との間に確立される。しかしながら、交換局は、中継局とホーム基地局とを対応付ける情報を有していない。従って、交換局がホーム基地局を宛先とする情報を送信する場合、交換局は、当該ホーム基地局と交換局との間の通信を中継する中継局（当該ホーム基地局を収容する中継局、即ち、収容中継局）を識別（特定）することができない。このため、例えば、交換局が、ホーム基地局識別情報により識別されるホーム基地局にハンドオーバー（ＨＯ（Ｈａｎｄｏｖｅｒ））の実行を要求するＨＯ要求（ＨＯ  Ｒｅｑｕｅｓｔ）を送信する場合、ＨＯ要求が当該ホーム基地局へ伝達されない虞があった。【００１１】
具体例として、交換局が、ホーム基地局識別情報のうちの上位部分のみに基づいて、送信先を特定するように構成されている場合がある。ここで、上位部分は、ホーム基地局識別情報のうちの、マクロ基地局識別情報と同じデータ長を有し且つ最上位から連続して配置された部分である。この場合、上記宛先としてのホーム基地局を識別するためのホーム基地局識別情報のうちの上位部分により識別される他局が存在しないため、交換局は、情報を収容中継局へ送信できない。【００１２】
また、他の具体例として、情報を送信する際、情報の宛先と対応付けられた領域情報（例えば、ＴＡＣ（Ｔｒａｃｋｉｎｇ  Ａｒｅａ  Ｃｏｄｅ））を用いることにより、送信先としての中継局を特定する機能を有するように交換局が構成されている場合がある。ここで、領域情報は、ホーム基地局の領域を表す。しかしながら、上記機能を有しない交換局も存在する。このような交換局は、情報を収容中継局へ送信できない。
このように、上記中継局によれば、交換局からホーム基地局へ情報を確実に伝達することができない虞があった。【００１３】
そこで、本発明の目的の一つは、上述した課題である、交換局からホーム基地局へ情報を確実に伝達することができない場合が生じること、を解決することが可能な中継局を提供することにある。
なお、上記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１４】
かかる目的を達成するため中継局は、ホームセルを提供する複数のホーム基地局のそれぞれと交換局との間の通信インタフェースを介した通信を中継する。
更に、この中継局は、ホーム基地局を識別するための第１のデータ長を有するホーム基地局識別情報のうちの、上記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが上記交換局と通信を行うために用いる通信インタフェースのうちの、当該中継局と当該交換局との間の部分としての交換局側通信インタフェースを、１つずつ確立するように構成される。
【発明の効果】
【００１５】
開示の中継局によれば、交換局の負荷を低減しながら、交換局からホーム基地局へ情報を確実に伝達することができる。
【図面の簡単な説明】
【００１６】
【図１】第１実施形態の一例としての通信システムの構成を表す図である。
【図２】第１実施形態の一例としての交換局の構成を表す図である。
【図３】第１実施形態の一例としての中継局の構成を表す図である。
【図４】第１実施形態の一例としてのホーム基地局の構成を表す図である。
【図５】第１実施形態の一例としての通信システムの機能を表す図である。
【図６】第１実施形態の一例としての中継局が記憶する、Ｇｒｏｕｐ  ＩＤ、ＴＡＣ、及び、ＨｅＮＢ  ＩＤが対応付けられたテーブルの一例である。
【図７】第１実施形態の一例としての中継局が実行する確立要求処理を表すフローチャートである。
【図８】第１実施形態の一例としての通信システムの作動の一例を示したシーケンス図である。
【図９】第１実施形態の一例としての中継局が受信する一次確立要求の一例を概念的に示した説明図である。
【図１０】第１実施形態の一例としての中継局が記憶する、Ｇｒｏｕｐ  ＩＤ、ＴＡＣ、及び、ＨｅＮＢ  ＩＤが対応付けられたテーブルの一例である。
【図１１】第１実施形態の一例としての中継局が送信する二次確立要求の一例を概念的に示した説明図である。
【図１２】第１実施形態の一例としての中継局が受信する一次確立要求の一例を概念的に示した説明図である。
【図１３】第１実施形態の一例としての中継局が記憶する、Ｇｒｏｕｐ  ＩＤ、ＴＡＣ、及び、ＨｅＮＢ  ＩＤが対応付けられたテーブルの一例である。
【図１４】第１実施形態の一例としての中継局が送信する更新要求の一例を概念的に示した説明図である。
【図１５】第１実施形態の一例としての中継局が受信する一次確立要求の一例を概念的に示した説明図である。
【図１６】第１実施形態の一例としての中継局が記憶する、Ｇｒｏｕｐ  ＩＤ、ＴＡＣ、及び、ＨｅＮＢ  ＩＤが対応付けられたテーブルの一例である。
【図１７】第１実施形態の一例としての中継局が実行するＨＯ依頼処理を表すフローチャートである。
【図１８】第１実施形態の一例としての通信システムの作動の一例を示したシーケンス図である。
【図１９】第２実施形態の一例としての通信システムの機能を表す図である。
【発明を実施するための形態】
【００１７】
上述した課題の少なくとも１つに対処するため、以下、本発明に係る、中継局、制御方法、制御プログラム、及び、通信システム、の各実施形態について図１〜図１９を参照しながら説明する。
【００１８】
＜第１実施形態＞
（概要）
第１実施形態に係る通信システムは、交換局と、中継局と、複数のホーム基地局と、を備える。複数のホーム基地局のそれぞれは、ホームセルを提供する。中継局は、複数のホーム基地局のそれぞれと交換局との間の通信インタフェースを介した通信を中継する。なお、ホームセルは、フェムトセルと呼ばれてもよい。
【００１９】
中継局は、基地局群毎に交換局側通信インタフェースを１つずつ確立する。各基地局群は、上位部分が同一であるホーム基地局識別情報により識別されるホーム基地局により構成される。ホーム基地局識別情報は、ホーム基地局を識別するための第１のデータ長を有する情報である。上位部分は、ホーム基地局識別情報のうちの、第１のデータ長よりも短い第２のデータ長を有し且つ最上位（先頭）から連続して配置された部分である。なお、データ長は、データ量、データサイズ、又は、ビット数と呼ばれてもよい。
【００２０】
ここで、第２のデータ長は、ホームセルよりも広いマクロセルを提供するマクロ基地局を識別するためのマクロ基地局識別情報のデータ長である。また、交換局側通信インタフェースは、ホーム基地局が交換局と通信を行うために用いる通信インタフェースのうちの、中継局と交換局との間の部分である。
【００２１】
上記のように構成された通信システムによれば、１つの基地局群を構成する複数のホーム基地局に対して、１つの交換局側通信インタフェースのみが確立される。これにより、複数のホーム基地局のそれぞれが、互いに独立に、交換局との間に通信インタフェースを確立する場合と比較して、交換局と直接に通信を行う他局と交換局との間に確立される通信インタフェースの数を低減することができる。この結果、交換局の負荷を低減することができる。
【００２２】
更に、宛先がホーム基地局である情報を交換局が送信する場合、交換局が、当該ホーム基地局を識別するためのホーム基地局識別情報のうちの上位部分に基づいて、当該ホーム基地局と交換局との間の通信を中継する中継局を識別（特定）することができる。この結果、交換局からホーム基地局へ情報を確実に伝達することができる。
即ち、このように構成された通信システムによれば、交換局の負荷を低減しながら、交換局からホーム基地局へ情報を確実に伝達することができる。
【００２３】
以下、第１実施形態について詳細に説明する。
（構成）
図１に示したように、第１実施形態に係る通信システム１は、複数の交換局１０−１，１０−２，…と、複数のマクロ基地局２０−１，２０−２，…と、複数の中継局３０−１，３０−２，…と、複数のホーム基地局４０−１，４０−２，…と、複数の移動局５０−１，５０−２，…と、を備える。なお、中継局３０−１，３０−２，…、及び、ホーム基地局４０−１，４０−２，…は、基地局システムと呼ばれてもよい。
【００２４】
また、以下において、複数の交換局１０−１，１０−２は、交換局＃１、及び、交換局＃２とそれぞれ表記され得る。また、複数の交換局１０−１，１０−２は、区別する必要がない場合、単に交換局１０と表記され得る。同様に、複数のマクロ基地局２０−１，２０−２は、マクロ基地局＃１、及び、マクロ基地局＃２とそれぞれ表記され得る。また、複数のマクロ基地局２０−１，２０−２は、区別する必要がない場合、単にマクロ基地局２０と表記され得る。
【００２５】
同様に、複数の中継局３０−１，３０−２は、中継局＃１、及び、中継局＃２とそれぞれ表記され得る。また、複数の中継局３０−１，３０−２は、区別する必要がない場合、単に中継局３０と表記され得る。同様に、複数のホーム基地局４０−１，４０−２は、ホーム基地局＃１、及び、ホーム基地局＃２とそれぞれ表記され得る。また、複数のホーム基地局４０−１，４０−２は、区別する必要がない場合、単にホーム基地局４０と表記され得る。
【００２６】
同様に、複数の移動局５０−１，５０−２は、移動局＃１、及び、移動局＃２とそれぞれ表記され得る。また、複数の移動局５０−１，５０−２は、区別する必要がない場合、単に移動局５０と表記され得る。
なお、交換局１０の数、マクロ基地局２０の数、中継局３０の数、及び、移動局５０の数の少なくとも１つは、１つであってもよい。
【００２７】
通信システム１は、移動体通信システムを構成する。本例では、通信システム１は、ＬＴＥ（Ｌｏｎｇ  Ｔｅｒｍ  Ｅｖｏｌｕｔｉｏｎ）に従った通信を行なうように構成される。なお、通信システム１は、ＬＴＥ−Ａｄｖａｎｃｅｄに従った通信を行なうように構成されていてもよい。また、通信システム１は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）に従った通信を行なうように構成されていてもよい。
【００２８】
なお、交換局１０は、ＭＭＥ（Ｍｏｂｉｌｉｔｙ  Ｍａｎａｇｅｍｅｎｔ  Ｅｎｔｉｔｙ）とも表記される。更に、マクロ基地局２０は、ＭｅＮＢ（Ｍａｃｒｏ  Ｅｖｏｌｖｅｄ  Ｎｏｄｅ  Ｂ）とも表記される。加えて、中継局３０は、ＨｅＮＢ  ＧＷ（Ｈｏｍｅ  Ｅｖｏｌｖｅｄ  Ｎｏｄｅ  Ｂ  Ｇａｔｅｗａｙ）とも表記される。更に、ホーム基地局４０は、ＨｅＮＢとも表記される。加えて、移動局５０は、ＵＥ（Ｕｓｅｒ  Ｅｑｕｉｐｍｅｎｔ）とも表記される。
【００２９】
各基地局（ＭｅＮＢ２０及びＨｅＮＢ４０のそれぞれ）は、少なくとも１つの交換局１０と通信可能に接続されている。本例では、各基地局２０，４０は、交換局１０と有線通信を行なうように構成されている。なお、基地局２０，４０の少なくとも１つは、交換局１０と無線通信を行なうように構成されていてもよい。
【００３０】
各ＨｅＮＢ４０は、１つの中継局３０と通信可能に接続されている。本例では、各ＨｅＮＢ４０は、中継局３０と有線通信を行なうように構成されている。なお、各ＨｅＮＢ４０は、中継局３０と無線通信を行なうように構成されていてもよい。
【００３１】
各ＭｅＮＢ２０は、自局２０が交換局１０と通信を行うために用いる通信インタフェース（本例では、Ｓ１インタフェース）を確立する。各ＭｅＮＢ２０は、確立された通信インタフェースを介して、交換局１０と通信を行なう。
【００３２】
各ＨｅＮＢ４０は、自局４０が交換局１０と通信を行うために用いる通信インタフェース（本例では、Ｓ１インタフェース）を確立する。具体的には、各ＨｅＮＢ４０は、上記通信インタフェースを構成する、基地局側通信インタフェース、及び、交換局側通信インタフェースの両方を確立する。
【００３３】
基地局側通信インタフェースは、通信インタフェースのうちの、ＨｅＮＢ４０と、当該ＨｅＮＢ４０と接続された中継局３０と、の間の部分である。また、交換局側通信インタフェースは、通信インタフェースのうちの、中継局３０と交換局１０との間の部分である。各ＨｅＮＢ４０は、確立された通信インタフェースを介して、交換局１０と通信を行なう。即ち、中継局３０は、複数のＨｅＮＢ４０のそれぞれと交換局１０との間の通信インタフェースを介した通信を中継する。
【００３４】
各ＭｅＮＢ２０は、マクロセルを提供する。各ＭｅＮＢ２０は、自局２０が提供するマクロセル内に位置する移動局５０と無線通信可能に構成される。各ＭｅＮＢ２０は、移動局５０と交換局１０との間の通信を中継する。
【００３５】
各ＨｅＮＢ４０は、マクロセルよりも狭いホームセルを提供する。各ＨｅＮＢ４０は、自局４０が提供するホームセル内に位置する移動局５０と無線通信可能に構成される。各ＨｅＮＢ４０及び中継局３０は、移動局５０と交換局１０との間の通信を中継する。
【００３６】
通信システム１は、基地局２０，４０間でハンドオーバ（ＨＯ（Ｈａｎｄｏｖｅｒ））処理を実行する。本例では、通信システム１は、ＭｅＮＢ２０とＭｅＮＢ２０との間、ＨｅＮＢ４０とＨｅＮＢ４０との間、及び、ＭｅＮＢ２０とＨｅＮＢ４０との間のいずれでもＨＯ処理を実行する。ＨＯ処理は、移動局５０と基地局２０，４０との間の通信の状態の変化に伴って、移動局５０が接続される基地局２０，４０を切り替える処理である。なお、通信の状態の変化は、一例として、移動局５０の移動、又は、干渉波の到来等によって生じる。
【００３７】
図２に示したように、交換局１０は、通信装置１１と、制御装置１２と、記憶装置１３と、を備える。
通信装置１１は、通信ケーブルを接続可能な通信ポートを備える。通信装置１１は、通信ケーブルを介して接続された他局と通信を行なう。本例では、通信装置１１は、ＭｅＮＢ２０、及び、中継局３０の少なくとも１つと接続される。
【００３８】
制御装置１２は、後述する機能を実現するために、交換局１０が備える各装置を制御する。本例では、制御装置１２は、ＬＳＩ（Ｌａｒｇｅ  Ｓｃａｌｅ  Ｉｎｔｅｇｒａｔｉｏｎ）により構成される。なお、制御装置１２は、プログラム可能な論理回路装置（ＰＬＤ；Ｐｒｏｇｒａｍｍａｂｌｅ  Ｌｏｇｉｃ  Ｄｅｖｉｃｅ）により構成されていてもよい。また、制御装置１２は、ＣＰＵ（Ｃｅｎｔｒａｌ  Ｐｒｏｃｅｓｓｉｎｇ  Ｕｎｉｔ）等の処理装置を備え、処理装置が記憶装置１３に記憶されているプログラムを実行することにより、後述する機能を実現してもよい。
【００３９】
記憶装置１３は、情報を読み書き可能に記憶する。例えば、記憶装置１３は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、半導体メモリ、及び、有機メモリの少なくとも１つを備える。なお、記憶装置１３は、フレキシブルディスク、光ディスク、光磁気ディスク、及び、半導体メモリ等の記録媒体と、記録媒体から情報を読み取り可能な読取装置と、を備えていてもよい。
【００４０】
図３に示したように、中継局３０は、通信装置３１と、制御装置３２と、記憶装置３３と、を備える。
通信装置３１は、通信装置１１と同様に構成される。本例では、通信装置３１は、交換局１０の少なくとも１つと接続される。
制御装置３２は、制御装置１２と同様に、後述する機能を実現するために、中継局３０が備える各装置を制御する。
記憶装置３３は、記憶装置１３と同様に構成される。
【００４１】
図４に示したように、ホーム基地局４０は、第１の通信装置４１と、第２の通信装置４２と、制御装置４３と、記憶装置４４と、を備える。
第１の通信装置４１は、通信装置１１と同様に構成される。本例では、第１の通信装置４１は、中継局３０の少なくとも１つと接続される。
【００４２】
第２の通信装置４２は、アンテナを備える。第２の通信装置４２は、アンテナを介して、ＨｅＮＢ４０が提供するホームセル内に位置する移動局５０と無線通信を行なう。
制御装置４３は、制御装置１２と同様に、後述する機能を実現するために、ＨｅＮＢ４０が備える各装置を制御する。
記憶装置４４は、記憶装置１３と同様に構成される。
【００４３】
ＭｅＮＢ２０は、ＨｅＮＢ４０と同様に構成される。なお、本例では、ＭｅＮＢ２０が備える第１の通信装置は、交換局１０の少なくとも１つと接続される。
【００４４】
（機能）
次に、図５を参照しながら、通信システム１の機能について説明する。
ＨｅＮＢ４０の機能は、一次確立要求送信部４０１と、ＨＯ（Ｈａｎｄｏｖｅｒ）依頼受信部４０２と、を備える。
一次確立要求送信部４０１は、所定の送信タイミング（本例では、ＨｅＮＢ４０の起動時）にて、自局４０が接続されている中継局３０へ一次確立要求を送信する。
【００４５】
一次確立要求は、交換局１０と自局４０との間の通信インタフェースを確立するための処理を要求する情報である。更に、一次確立要求は、自局４０を識別するためのホーム基地局識別情報（ＨｅＮＢ  ＩＤ）と、自局４０に割り当てられた領域を表す領域情報（ＴＡＣ（Ｔｒａｃｋｉｎｇ  Ａｒｅａ  Ｃｏｄｅ））と、を含む。本例では、一次確立要求は、Ｓ１ＡＰ（Ｓ１  Ａｐｐｌｉｃａｔｉｏｎ  Ｐｒｏｔｏｃｏｌ）に従った、Ｓ１  Ｓｅｔｕｐ  Ｒｅｑｕｅｓｔメッセージである。
【００４６】
本例では、一次確立要求送信部４０１は、ＨｅＮＢ  ＩＤ及びＴＡＣを予め記憶装置４４に記憶させている。なお、ＨｅＮＢ４０は、ＨｅＮＢ  ＩＤを含む更新要求を管理装置から受信した場合に、記憶装置４４に記憶されているＨｅＮＢ  ＩＤを更新するように構成されていてもよい。同様に、ＨｅＮＢ４０は、ＴＡＣを含む更新要求を管理装置から受信した場合に、記憶装置４４に記憶されているＴＡＣを更新するように構成されていてもよい。
【００４７】
本例では、ＨｅＮＢ  ＩＤは、中継局間で、中継局に接続されているＨｅＮＢを識別するためのＨｅＮＢ  ＩＤのうちの上位部分が競合しないように予め設定される。具体的には、ある中継局３０に接続されているＨｅＮＢ４０を識別するためのＨｅＮＢ  ＩＤのうちの上位部分のそれぞれが、他の中継局３０に接続されているＨｅＮＢ４０を識別するためのＨｅＮＢ  ＩＤのうちの上位部分のいずれとも異なるように、ＨｅＮＢ  ＩＤが設定される。
【００４８】
同様に、本例では、ＴＡＣは、中継局間で、中継局に接続されているＨｅＮＢに割り当てられたＴＡＣが競合しないように予め設定される。具体的には、ある中継局３０に接続されているＨｅＮＢ４０に割り当てられたＴＡＣのそれぞれが、他の中継局３０に接続されているＨｅＮＢ４０に割り当てられたＴＡＣのいずれとも異なるように、ＴＡＣが設定される。
【００４９】
ＨＯ依頼受信部４０２は、中継局３０からＨＯ依頼を受信する。ＨＯ依頼受信部４０２は、ＨＯ依頼が受信された場合、ＨＯ依頼を送信してきた中継局３０へ確認応答を送信する。ＨＯ依頼は、ＨＯ処理の実行を依頼する情報である。本例では、ＨＯ依頼は、Ｓ１ＡＰに従った、Ｈａｎｄｏｖｅｒ  Ｒｅｑｕｅｓｔメッセージである。なお、ＨＯ依頼は、ターゲット基地局に割り当てられた領域を表すＴＡＣを含むＴＡＩを含んでいてもよい。確認応答は、ＨＯ依頼に応答する情報である。本例では、確認応答は、Ｓ１ＡＰに従った、Ｈａｎｄｏｖｅｒ  Ｒｅｑｕｅｓｔ  Ａｃｋメッセージである。
なお、一次確立要求送信部４０１は、第１の通信部の一例である。
【００５０】
また、中継局３０の機能は、確立要求処理部３１０と、ＨＯ依頼処理部３２０と、を備える。
確立要求処理部３１０は、基地局情報記憶部３１１と、一次確立要求受信部３１２と、二次確立要求送信部３１３と、更新要求送信部３１４と、確立応答送信部３１５と、を備える。
【００５１】
基地局情報記憶部３１１は、図６に示したように、グループ識別情報（Ｇｒｏｕｐ  ＩＤ）と、ＴＡＣと、ＨｅＮＢ  ＩＤと、を対応付けて記憶する。
【００５２】
「＃ｉ」（ここで、ｉは整数）は、ｉ番目の情報であることを表す。また、「“」及び「”」により囲まれた文字列は、記憶されている情報の一例である。なお、「＃ｉ」は、説明の便宜上、表記されている。従って、本例では、記憶装置３３は、「＃ｉ」を記憶することなく、「“」及び「”」により囲まれた文字列を表す情報を記憶している。なお、本明細書においては、説明の便宜上、４ビットの情報が１桁の整数により表現されている。
【００５３】
ＴＡＣは、ＨｅＮＢ４０に割り当てられた領域を表す領域情報である。
ＨｅＮＢ  ＩＤは、ＨｅＮＢ４０を識別するための情報である。ＨｅＮＢ  ＩＤは、第１のデータ長（本例では、２８ビット）を有する。
【００５４】
Ｇｒｏｕｐ  ＩＤは、グループ（基地局群）を識別するための情報である。各グループは、上位部分が同一であるＨｅＮＢ  ＩＤにより識別されるＨｅＮＢ４０により構成される。上位部分は、第１のデータ長よりも短い第２のデータ長（本例では、２０ビット）を有する。更に、上位部分は、ＨｅＮＢ  ＩＤのうちの最上位から連続して配置された部分である。なお、第２のデータ長は、ＭｅＮＢ２０を識別するためのマクロ基地局識別情報（ＭｅＮＢ  ＩＤ）と同じデータ長である。
Ｇｒｏｕｐ  ＩＤは、当該Ｇｒｏｕｐ  ＩＤにより識別されるグループを構成するＨｅＮＢ４０を識別するためのＨｅＮＢ  ＩＤのうちの上位部分と同じ情報である。
【００５５】
即ち、基地局情報記憶部３１１は、Ｇｒｏｕｐ  ＩＤと、当該Ｇｒｏｕｐ  ＩＤにより識別されるグループを構成するＨｅＮＢのそれぞれを識別するためのＨｅＮＢ  ＩＤと、を対応付けて記憶する。更に、基地局情報記憶部３１１は、ＨｅＮＢ  ＩＤと、当該ＨｅＮＢ  ＩＤにより識別されるＨｅＮＢに割り当てられた領域を表すＴＡＣと、を対応付けて記憶する。
換言すると、基地局情報記憶部３１１は、ＨｅＮＢ  ＩＤと、当該ＨｅＮＢ  ＩＤにより識別されるＨｅＮＢに割り当てられた領域を表すＴＡＣと、当該ＨｅＮＢ  ＩＤのうちの上位部分と一致するＧｒｏｕｐ  ＩＤと、を対応付けて記憶する。
【００５６】
一次確立要求受信部３１２は、自局３０に接続されているＨｅＮＢ４０により送信された一次確立要求を受信する。
二次確立要求送信部３１３は、所定の二次確立要求送信条件が成立する場合、自局３０に接続されている交換局１０へ二次確立要求を送信する。一方、二次確立要求送信部３１３は、二次確立要求送信条件が成立しない場合、二次確立要求を送信しない。
【００５７】
二次確立要求は、交換局側通信インタフェースを確立するための処理を要求する情報である。更に、二次確立要求は、受信された一次確立要求に含まれるＨｅＮＢ  ＩＤのうちの上位部分を、自局３０を識別するためのＭｅＮＢ  ＩＤとして含む。加えて、二次確立要求は、受信された一次確立要求に含まれるＴＡＣを含む。本例では、二次確立要求は、Ｓ１ＡＰに従った、Ｓ１  Ｓｅｔｕｐ  Ｒｅｑｕｅｓｔメッセージである。
【００５８】
二次確立要求送信条件は、一次確立要求受信部３１２により受信された一次確立要求に含まれるＨｅＮＢ  ＩＤのうちの上位部分が、基地局情報記憶部３１１により記憶されているＧｒｏｕｐ  ＩＤのいずれとも異なる、という条件である。
【００５９】
なお、記憶されているＧｒｏｕｐ  ＩＤは、既に確立されている交換局側通信インタフェースを確立するために交換局１０へ送信された二次確立要求の少なくとも１つに含まれるＭｅＮＢ  ＩＤの一例である。
【００６０】
即ち、二次確立要求送信部３１３は、一次確立要求に含まれるＨｅＮＢ  ＩＤのうちの上位部分と、既に確立されている交換局側通信インタフェースを確立するために交換局１０へ送信された二次確立要求の少なくとも１つに含まれるＭｅＮＢ  ＩＤと、が一致するとき、二次確立要求を交換局１０へ送信しない、と言える。
【００６１】
このような構成により、中継局３０は、グループ（基地局群）毎に、当該グループを構成するＨｅＮＢ４０のそれぞれが交換局１０と通信を行うために用いる通信インタフェースのうちの交換局側通信インタフェースを、１つずつ確立する、と言える。
【００６２】
更新要求送信部３１４は、所定の第１更新要求送信条件及び所定の第２更新要求送信条件の両方が成立する場合、更新要求を自局３０に接続されている交換局１０へ送信する。一方、更新要求送信部３１４は、第１更新要求送信条件及び第２更新要求送信条件の少なくとも一方が成立しない場合、更新要求を送信しない。
【００６３】
更新要求は、一次確立要求受信部３１２により受信された一次確立要求に含まれるＴＡＣを含むとともに、ＴＡＣの追加を要求する情報である。本例では、更新要求は、Ｓ１ＡＰに従った、ｅＮＢ  Ｃｏｎｆｉｇｕｒａｔｉｏｎ  Ｕｐｄａｔｅメッセージである。
【００６４】
第１更新要求送信条件は、一次確立要求受信部３１２により受信された一次確立要求に含まれるＨｅＮＢ  ＩＤのうちの上位部分が、基地局情報記憶部３１１により記憶されているＧｒｏｕｐ  ＩＤのいずれかと一致する、という条件である。第２更新要求送信条件は、一次確立要求受信部３１２により受信された一次確立要求に含まれるＴＡＣが、当該一次確立要求に含まれるＨｅＮＢ  ＩＤのうちの上位部分と一致するＧｒｏｕｐ  ＩＤと対応付けて基地局情報記憶部３１１により記憶されているＴＡＣのいずれとも異なる、という条件である。
【００６５】
基地局情報記憶部３１１は、二次確立要求送信条件が成立する（即ち、二次確立要求が送信される）場合、一次確立要求に含まれるＨｅＮＢ  ＩＤと、Ｇｒｏｕｐ  ＩＤとしての、当該ＨｅＮＢ  ＩＤのうちの上位部分と、当該一次確立要求に含まれるＴＡＣと、を対応付けて新たに記憶する。
【００６６】
更に、基地局情報記憶部３１１は、第１更新要求送信条件及び第２更新要求送信条件の両方が成立する（即ち、更新要求が送信される）場合、一次確立要求に含まれるＨｅＮＢ  ＩＤと、Ｇｒｏｕｐ  ＩＤとしての、当該ＨｅＮＢ  ＩＤのうちの上位部分と、当該一次確立要求に含まれるＴＡＣと、を対応付けて新たに記憶する。
なお、確立応答送信部３１５については、後述する。
【００６７】
ＨＯ依頼処理部３２０は、ＨＯ依頼受信部３２１と、ＨＯ依頼送信部３２２と、を備える。
ＨＯ依頼受信部３２１は、自局３０に接続されている交換局１０からＨＯ依頼を受信する。ＨＯ依頼は、ＨｅＮＢ  ＩＤを含むとともに、当該ＨｅＮＢ  ＩＤにより識別されるＨｅＮＢ４０にハンドオーバー処理を実行するように要求する情報である。即ち、ＨＯ依頼は、処理要求の一例である。なお、処理要求は、ＨＯ処理以外の処理を要求する情報であってもよい。
【００６８】
ＨＯ依頼送信部３２２は、ＨＯ依頼受信部３２１によりＨＯ依頼が受信された場合、受信されたＨＯ依頼に含まれるＨｅＮＢ  ＩＤにより識別されるＨｅＮＢ４０を、送信先（送信先ＨｅＮＢ）として決定する。ＨＯ依頼送信部３２２は、決定された送信先ＨｅＮＢ４０へ、ＨＯ依頼を送信する。
【００６９】
なお、基地局情報記憶部３１１は、記憶部の一例である。また、一次確立要求受信部３１２、二次確立要求送信部３１３、更新要求送信部３１４、及び、ＨＯ依頼送信部３２２は、通信部又は第２の通信部の一例である。
【００７０】
また、交換局１０の機能は、確立要求受信部１０１と、局情報記憶部１０２と、ＨＯ要求受信部１０３と、ＨＯ依頼送信部１０４と、確立応答送信部１０５と、を備える。
確立要求受信部１０１は、自局１０に接続されている中継局３０により送信された、二次確立要求及び更新要求を受信する。更に、確立要求受信部１０１は、自局１０に接続されているＭｅＮＢ２０により送信された確立要求を受信する。
【００７１】
確立要求は、ＭｅＮＢ２０と交換局１０との間の通信インタフェースを確立するための処理を要求する情報である。更に、確立要求は、送信元であるＭｅＮＢ２０を識別するためのＭｅＮＢ  ＩＤを含む。加えて、確立要求は、送信元であるＭｅＮＢ２０に割り当てられた領域を表すＴＡＣを含む。本例では、確立要求は、Ｓ１ＡＰに従った、Ｓ１  Ｓｅｔｕｐ  Ｒｅｑｕｅｓｔメッセージである。
【００７２】
局情報記憶部１０２は、ＴＡＣと、ＭｅＮＢ  ＩＤと、を対応付けて記憶する。
具体的には、局情報記憶部１０２は、確立要求が受信された場合、確立要求に含まれるＭｅＮＢ  ＩＤ及びＴＡＣを対応付けて新たに記憶する。同様に、局情報記憶部１０２は、二次確立要求が受信された場合、二次確立要求に含まれるＭｅＮＢ  ＩＤ及びＴＡＣを対応付けて新たに記憶する。また、局情報記憶部１０２は、更新要求が受信された場合、更新要求を送信してきた中継局３０を識別するためのＭｅＮＢ  ＩＤと、当該更新要求に含まれるＴＡＣと、を対応付けて新たに記憶する。なお、このＭｅＮＢ  ＩＤは、当該更新要求を送信するために用いられた通信インタフェースを確立する基となった二次確立要求に含まれていたＭｅＮＢ  ＩＤである。
【００７３】
即ち、局情報記憶部１０２は、ＭｅＮＢ  ＩＤと、当該ＭｅＮＢ  ＩＤにより識別されるＭｅＮＢ２０に割り当てられた領域を表すＴＡＣと、を対応付けて記憶する。更に、局情報記憶部１０２は、ＭｅＮＢ  ＩＤと、当該ＭｅＮＢ  ＩＤにより識別される中継局３０に接続されているＨｅＮＢ４０のそれぞれに割り当てられた領域を表すＴＡＣと、を対応付けて記憶する。
【００７４】
ＨＯ要求受信部１０３は、ＭｅＮＢ２０又はＨｅＮＢ４０により送信されたＨＯ要求を受信する。ＨＯ要求は、ＨＯ処理の実行を要求する情報である。ＨＯ要求は、移動局５０の接続の切り替え先（ハンドオーバー先）となる基地局（ターゲット基地局）を識別するための基地局識別情報（ｅＮＢ  ＩＤ）を含む。なお、ＨＯ要求は、ターゲット基地局に割り当てられた領域を表すＴＡＣを含むＴＡＩ（Ｔｒａｃｋｉｎｇ  Ａｒｅａ  Ｉｄｅｎｔｉｔｙ）を含んでいてもよい。
【００７５】
ｅＮＢ  ＩＤは、ターゲット基地局がＭｅＮＢ２０である場合、第２のデータ長（本例では、２０ビット）ＭｅＮＢ  ＩＤである。また、ｅＮＢ  ＩＤは、ターゲット基地局がＨｅＮＢ４０である場合、第１のデータ長（本例では、２８ビット）を有するＨｅＮＢ  ＩＤである。本例では、ＨＯ要求は、Ｓ１ＡＰに従った、Ｈａｎｄｏｖｅｒ  Ｒｅｑｕｉｒｅｄメッセージである。
【００７６】
ＨＯ依頼送信部１０４は、ＨＯ要求受信部１０３によりＨＯ要求が受信された場合、受信されたＨＯ要求に含まれるｅＮＢ  ＩＤに基づいて、送信先の他局（送信先局）を決定する。具体的には、ＨＯ依頼送信部１０４は、ｅＮＢ  ＩＤが、ＨｅＮＢ  ＩＤ又はＭｅＮＢ  ＩＤのいずれであるかにかかわらず、ｅＮＢ  ＩＤのうちの上位部分を決定基礎情報として取得する。即ち、決定基礎情報は、第２のデータ長を有する。
【００７７】
換言すると、ＨＯ依頼送信部１０４は、ｅＮＢ  ＩＤがＭｅＮＢ  ＩＤである場合には、ｅＮＢ  ＩＤの全体を決定基礎情報として取得する。また、ＨＯ依頼送信部１０４は、ｅＮＢ  ＩＤがＨｅＮＢ  ＩＤである場合には、ｅＮＢ  ＩＤのうちの上位部分を決定基礎情報として取得する。
【００７８】
そして、ＨＯ依頼送信部１０４は、取得された決定基礎情報により識別される、ＭｅＮＢ２０又は中継局３０を送信先局として決定する。ＨＯ依頼送信部１０４は、受信されたＨＯ要求に含まれるｅＮＢ  ＩＤを含むＨＯ依頼を、決定された送信先局へ送信する。
【００７９】
確立応答送信部１０５は、確立要求受信部１０１により確立要求が受信された場合、当該確立要求を送信してきたＭｅＮＢ２０へ確立応答を送信する。確立応答は、確立要求に応答する情報である。本例では、確立応答は、Ｓ１ＡＰに従った、Ｓ１  Ｓｅｔｕｐ  Ｒｅｓｐｏｎｓｅメッセージである。本例では、確立応答がＭｅＮＢ２０により受信されることにより、ＭｅＮＢ２０と交換局１０との間の通信インタフェースが確立される。
【００８０】
また、確立応答送信部１０５は、確立要求受信部１０１により二次確立要求が受信された場合、当該二次確立要求を送信してきた中継局３０へ確立応答を送信する。本例では、確立応答が中継局３０により受信されることにより、中継局３０と交換局１０との間の交換局側通信インタフェースが確立される。
【００８１】
また、確立応答送信部１０５は、確立要求受信部１０１により更新要求が受信された場合、当該更新要求を送信してきた中継局３０へ確認応答を送信する。この確認応答は、更新要求に応答する情報である。本例では、この確認応答は、Ｓ１ＡＰに従った、ｅＮＢ  Ｃｏｎｆｉｇｕｒａｔｉｏｎ  Ｕｐｄａｔｅ  Ａｃｋメッセージである。
【００８２】
中継局３０の確立応答送信部３１５は、自局３０と接続されている交換局１０から確認応答又は確立応答を受信した場合、受信された確認応答又は確立応答の基となった一次確立要求を送信してきたＨｅＮＢ４０へ確立応答を送信する。本例では、ＨｅＮＢ４０へ送信される確立応答は、Ｓ１ＡＰに従った、Ｓ１  Ｓｅｔｕｐ  Ｒｅｓｐｏｎｓｅメッセージである。本例では、確立応答がＨｅＮＢ４０により受信されることにより、ＨｅＮＢ４０と中継局３０との間の基地局側通信インタフェースが確立される。
【００８３】
（作動）
次に、上述した通信システム１の作動について、図６乃至図１８を参照しながら説明する。
中継局３０−１は、図７にフローチャートにより示した確立要求処理を、中継局３０−１の起動時に実行するようになっている。なお、他の中継局３０も、中継局３０−１と同様に作動する。なお、中継局３０−１は、ユーザによる指示の入力、又は、図示しない情報処理装置からの指示の受信、に応じて上記確立要求処理を実行してもよい。
【００８４】
先ず、中継局３０−１は、自局３０−１に接続されているＨｅＮＢ４０（本例では、ＨｅＮＢ４０−１又はＨｅＮＢ４０−２）から、一次確立要求（Ｓ１確立要求）を受信するまで待機する（図７のステップＳ１０１）。
【００８５】
いま、ＨｅＮＢ４０−１が起動された場合を想定する。この場合、図８に示したように、ＨｅＮＢ４０−１は、中継局３０−１へ一次確立要求を送信する（図８のステップＳ２０１）。これにより、中継局３０−１は、一次確立要求を受信する。従って、中継局３０−１は、図７のステップＳ１０１にて「Ｙｅｓ」と判定し、同一のＧｒｏｕｐ  ＩＤが記憶済みであるか否かを判定する（図７のステップＳ１０２）。
【００８６】
具体的には、中継局３０−１は、受信された一次確立要求に含まれるＨｅＮＢ  ＩＤのうちの上位部分が、既に記憶されているＧｒｏｕｐ  ＩＤのいずれかと一致する（同一である）か否かを判定する。
【００８７】
ここでは、図６に示したように、中継局３０−１が、Ｇｒｏｕｐ  ＩＤとＴＡＣとＨｅＮＢ  ＩＤとを対応付けて記憶している場合を想定する。更に、受信された一次確立要求が、図９に示したように、ＨｅＮＢ  ＩＤとしての“００００３４１”と、ＴＡＣとしての“Ｅ”と、を含む場合を想定する。
【００８８】
即ち、この場合、受信された一次確立要求に含まれるＨｅＮＢ  ＩＤのうちの上位部分（“００００３”）は、既に記憶されているＧｒｏｕｐ  ＩＤのいずれとも異なる。更に、この場合、受信された一次確立要求に含まれるＴＡＣ（“Ｅ”）は、当該一次確立要求に含まれるＨｅＮＢ  ＩＤのうちの上位部分と一致するＧｒｏｕｐ  ＩＤと対応付けて既に記憶されているＴＡＣのいずれとも異なる。
【００８９】
従って、中継局３０−１は、図７のステップＳ１０２にて「Ｎｏ」と判定し、図７のステップＳ１０３へ進む。そして、中継局３０−１は、図１０に示したように、受信された一次確立要求に含まれるＨｅＮＢ  ＩＤ（“００００３４１”）と、Ｇｒｏｕｐ  ＩＤとしての、当該ＨｅＮＢ  ＩＤのうちの上位部分（“００００３”）と、当該一次確立要求に含まれるＴＡＣ（“Ｅ”）と、を対応付けて新たに記憶する。
【００９０】
そして、中継局３０−１は、自局３０−１に接続されている交換局１０−１へ二次確立要求（Ｓ１確立要求）を送信する（図７のステップＳ１０４及び図８のステップＳ２０２）。この二次確立要求は、図１１に示したように、受信された一次確立要求に含まれるＨｅＮＢ  ＩＤのうちの上位部分（“００００３”）を、自局３０−１を識別するためのＭｅＮＢ  ＩＤとして含む。加えて、二次確立要求は、受信された一次確立要求に含まれるＴＡＣ（“Ｅ”）を含む。
【００９１】
次いで、中継局３０−１は、二次確立要求の送信先である交換局１０−１から確立応答（Ｓ１確立応答）を受信するまで待機する（図７のステップＳ１０５）。
一方、交換局１０−１は、中継局３０−１から二次確立要求を受信する。そして、交換局１０−１は、二次確立要求に含まれるＭｅＮＢ  ＩＤ及びＴＡＣを対応付けて新たに記憶する。
【００９２】
そして、交換局１０−１は、二次確立要求を送信してきた中継局３０−１へ確立応答（Ｓ１確立応答）を送信する（図８のステップＳ２０３）。
これにより、中継局３０−１は、交換局１０−１から確立応答を受信する。この結果、中継局３０−１と交換局１０−１との間の交換局側通信インタフェースが確立される。更に、中継局３０−１は、図７のステップＳ１０５にて「Ｙｅｓ」と判定し、ステップＳ１０６へ進む。
【００９３】
そして、中継局３０−１は、交換局１０−１から受信された確立応答の基となった一次確立要求（即ち、図７のステップＳ１０１にて受信された一次確立要求）を送信してきたＨｅＮＢ４０−１へ確立応答（Ｓ１確立応答）を送信する（図８のステップＳ２０４）。これにより、ＨｅＮＢ４０−１は、中継局３０−１から確立応答を受信する。この結果、ＨｅＮＢ４０−１と中継局３０−１との間の基地局側通信インタフェースが確立される。
【００９４】
その後、中継局３０−１は、図７のステップＳ１０１へ戻り、ステップＳ１０１〜ステップＳ１１２の処理を繰り返し実行する。
【００９５】
次に、ＨｅＮＢ４０−２が起動された場合を想定する。この場合、図８に示したように、ＨｅＮＢ４０−２は、中継局３０−１へ一次確立要求を送信する（図８のステップＳ２０５）。これにより、中継局３０−１は、一次確立要求を受信する。従って、中継局３０−１は、図７のステップＳ１０１にて「Ｙｅｓ」と判定し、同一のＧｒｏｕｐ  ＩＤが記憶済みであるか否かを判定する（図７のステップＳ１０２）。
【００９６】
ここでは、図６に示したように、中継局３０−１が、Ｇｒｏｕｐ  ＩＤとＴＡＣとＨｅＮＢ  ＩＤとを対応付けて記憶している場合を想定する。更に、受信された一次確立要求が、図１２に示したように、ＨｅＮＢ  ＩＤとしての“００００２５１”と、ＴＡＣとしての“Ｆ”と、を含む場合を想定する。
【００９７】
即ち、この場合、受信された一次確立要求に含まれるＨｅＮＢ  ＩＤのうちの上位部分（“００００２”）は、既に記憶されているＧｒｏｕｐ  ＩＤの少なくとも１つと一致する。更に、この場合、受信された一次確立要求に含まれるＴＡＣ（“Ｆ”）は、当該一次確立要求に含まれるＨｅＮＢ  ＩＤのうちの上位部分と一致するＧｒｏｕｐ  ＩＤと対応付けて既に記憶されているＴＡＣのいずれとも異なる。
【００９８】
従って、中継局３０−１は、図７のステップＳ１０２にて「Ｙｅｓ」と判定し、同一のＴＡＣが記憶済みであるか否かを判定する（図７のステップＳ１０７）。
具体的には、中継局３０−１は、受信された一次確立要求に含まれるＴＡＣ（“Ｆ”）が、当該一次確立要求に含まれるＨｅＮＢ  ＩＤのうちの上位部分と一致するＧｒｏｕｐ  ＩＤ（“００００２”）と対応付けて既に記憶されているＴＡＣのいずれかと一致する（同一である）か否かを判定する。
【００９９】
上記仮定に従えば、中継局３０−１は、図７のステップＳ１０７にて「Ｎｏ」と判定し、図７のステップＳ１０８へ進む。そして、中継局３０−１は、図１３に示したように、受信された一次確立要求に含まれるＨｅＮＢ  ＩＤ（“００００２５１”）と、Ｇｒｏｕｐ  ＩＤとしての、当該ＨｅＮＢ  ＩＤのうちの上位部分（“００００２”）と、当該一次確立要求に含まれるＴＡＣ（“Ｆ”）と、を対応付けて新たに記憶する。
【０１００】
そして、中継局３０−１は、自局３０−１に接続されている交換局１０−１へ更新要求を送信する（図７のステップＳ１０９及び図８のステップＳ２０６）。この更新要求は、図１４に示したように、受信された一次確立要求に含まれるＨｅＮＢ  ＩＤ（“００００２５１”）の上位部分（“００００２”）と同一のＧｒｏｕｐ  ＩＤと対応付けて記憶されているすべてのＴＡＣを含む。即ち、この更新要求は、受信された一次確立要求に含まれるＴＡＣ（“Ｆ”）を含む。
【０１０１】
次いで、中継局３０−１は、更新要求の送信先である交換局１０−１から確認応答を受信するまで待機する（図７のステップＳ１１０）。
一方、交換局１０−１は、中継局３０−１から更新要求を受信する。そして、交換局１０−１は、更新要求を送信してきた中継局３０−１を識別するためのＭｅＮＢ  ＩＤと、当該更新要求に含まれるＴＡＣと、を対応付けて記憶する（即ち、ＭｅＮＢ  ＩＤと対応付けて記憶されているＴＡＣを更新する）。
【０１０２】
そして、交換局１０−１は、更新要求を送信してきた中継局３０−１へ確認応答を送信する（図８のステップＳ２０７）。
これにより、中継局３０−１は、交換局１０−１から確認応答を受信する。従って、中継局３０−１は、図７のステップＳ１１０にて「Ｙｅｓ」と判定し、ステップＳ１１１へ進む。
【０１０３】
そして、中継局３０−１は、交換局１０−１から受信された確認応答の基となった一次確立要求（即ち、図７のステップＳ１０１にて受信された一次確立要求）を送信してきたＨｅＮＢ４０−２へ確立応答（Ｓ１確立応答）を送信する（図８のステップＳ２０８）。これにより、ＨｅＮＢ４０−２は、中継局３０−１から確立応答を受信する。この結果、ＨｅＮＢ４０−２と中継局３０−１との間の基地局側通信インタフェースが確立される。
【０１０４】
その後、中継局３０−１は、図７のステップＳ１０１へ戻り、ステップＳ１０１〜ステップＳ１１２の処理を繰り返し実行する。
【０１０５】
次に、受信された一次確立要求が、図１５に示したように、ＨｅＮＢ  ＩＤとしての“００００１１４”と、ＴＡＣとしての“Ｂ”と、を含む場合を想定する。
【０１０６】
即ち、この場合、受信された一次確立要求に含まれるＨｅＮＢ  ＩＤのうちの上位部分（“００００１”）は、既に記憶されているＧｒｏｕｐ  ＩＤの少なくとも１つと一致する。更に、この場合、受信された一次確立要求に含まれるＴＡＣ（“Ｂ”）は、当該一次確立要求に含まれるＨｅＮＢ  ＩＤのうちの上位部分と一致するＧｒｏｕｐ  ＩＤと対応付けて既に記憶されているＴＡＣの少なくとも１つと一致する。
【０１０７】
従って、中継局３０−１は、図７のステップＳ１０２及びステップＳ１０７のそれぞれにて「Ｙｅｓ」と判定し、ステップＳ１１２へ進む。そして、中継局３０−１は、図１６に示したように、受信された一次確立要求に含まれるＨｅＮＢ  ＩＤ（“００００１１４”）と、Ｇｒｏｕｐ  ＩＤとしての、当該ＨｅＮＢ  ＩＤのうちの上位部分（“００００１”）と、当該一次確立要求に含まれるＴＡＣ（“Ｂ”）と、を対応付けて新たに記憶する。
【０１０８】
次いで、中継局３０−１は、二次確立要求及び更新要求のいずれも送信することなく、図７のステップＳ１０１へ戻り、ステップＳ１０１〜ステップＳ１１２の処理を繰り返し実行する。
【０１０９】
また、中継局３０−１は、図１７にフローチャートにより示したＨＯ依頼処理を、中継局３０−１の起動時に実行するようになっている。なお、他の中継局３０も、中継局３０−１と同様に作動する。なお、中継局３０−１は、ユーザによる指示の入力、又は、図示しない情報処理装置からの指示の受信、に応じて上記ＨＯ依頼処理を実行してもよい。
【０１１０】
先ず、中継局３０−１は、自局３０−１に接続されている交換局１０（本例では、交換局１０−１又は交換局１０−２）から、ＨＯ依頼を受信するまで待機する（図１７のステップＳ３０１）。
【０１１１】
いま、ＨＯ要求が、ソース基地局（Ｓｏｕｒｃｅ  ｅＮＢ）としてのＭｅＮＢ２０−１から交換局１０−１へ送信された場合を想定する。ここで、このＨＯ要求が、移動局（ＵＥ）５０−１の接続の切り替え先（ハンドオーバー先）となる基地局を識別するためのｅＮＢ  ＩＤとして、ＨｅＮＢ４０−１を識別するためのＨｅＮＢ  ＩＤを含む場合を想定する。なお、ハンドオーバー先となる基地局は、ターゲット基地局（Ｔａｒｇｅｔ  ｅＮＢ）とも呼ばれる。
【０１１２】
具体的には、この場合、先ず、図１８に示したように、移動局（ＵＥ）５０−１とＭｅＮＢ２０−１との間でＲＲＣ（Ｒａｄｉｏ  Ｒｅｓｏｕｒｃｅ  Ｃｏｎｔｒｏｌ）処理が実行される（図１８のステップＳ４０１）。ここで、ＲＲＣ処理は、ＲＲＣプロトコルに従った処理である。
【０１１３】
そして、移動局５０−１は、接続されているＭｅＮＢ２０−１へ測定報告（Ｍｅａｓｕｒｅｍｅｎｔ  Ｒｅｐｏｒｔ）を送信する（図１８のステップＳ４０２）。例えば、測定報告は、ＣＧＩ（Ｃｅｌｌ  Ｇｌｏｂａｌ  Ｉｄｅｎｔｉｔｙ）、ＴＡＩ（Ｔｒａｃｋｉｎｇ  Ａｒｅａ  Ｉｄｅｎｔｉｔｙ）、及び、ＣＳＧ（Ｃｌｏｓｅｄ  Ｓｕｂｓｃｒｉｂｅｒ  Ｇｒｏｕｐ）  ＩＤ等を含む。ＣＧＩは、ＭｅＮＢ  ＩＤ又はＨｅＮＢ  ＩＤを含む。
【０１１４】
ＭｅＮＢ２０−１は、受信された測定報告に基づいて、ハンドオーバー処理を要求するか否かを決定する。上記仮定に従えば、ＭｅＮＢ２０−１は、ＨｅＮＢ４０−１がハンドオーバー先であるハンドオーバー処理を要求することを決定する。そして、ＭｅＮＢ２０−１は、ＨｅＮＢ４０−１を識別するためのＨｅＮＢ  ＩＤ（ここでは、“００００３４１”）を含むＨＯ要求を交換局１０−１へ送信する（図１８のステップＳ４０３）。
【０１１５】
これにより、交換局１０−１は、ＨＯ要求を受信する。そして、交換局１０−１は、受信されたＨＯ要求に含まれるｅＮＢ  ＩＤ（“００００３４１”）のうちの上位部分（“００００３”）により識別される中継局３０−１を送信先局として決定する（図１８のステップＳ４０４）。
【０１１６】
そして、交換局１０−１は、受信されたＨＯ要求に含まれるｅＮＢ  ＩＤ（“００００３４１”）を含むＨＯ依頼を、決定された送信先局である中継局３０−１へ送信する（図１８のステップＳ４０５）。
これにより、中継局３０−１は、交換局１０−１からＨＯ依頼を受信する。従って、中継局３０−１は、図１７のステップＳ３０１にて「Ｙｅｓ」と判定し、受信されたＨＯ依頼に含まれるｅＮＢ  ＩＤ（“００００３４１”）により、送信先ＨｅＮＢを決定する（図１７のステップＳ３０２及び図１８のステップＳ４０６）。本例では、中継局３０−１は、送信先ＨｅＮＢとしてＨｅＮＢ４０−１を決定する。
【０１１７】
次いで、中継局３０−１は、決定された送信先ＨｅＮＢであるＨｅＮＢ４０−１へＨＯ依頼を送信する（図１７のステップＳ３０３及び図１８のステップＳ４０７）。そして、中継局３０−１は、図１７のステップＳ３０１へ戻り、ステップＳ３０１〜ステップＳ３０３の処理を繰り返し実行する。
【０１１８】
一方、ＨｅＮＢ４０−１は、中継局３０−１からＨＯ依頼を受信すると、確認応答を中継局３０−１へ送信する（図１８のステップＳ４０８）。そして、中継局３０−１は、ＨｅＮＢ４０−１から確認応答を受信すると、確認応答を交換局１０−１へ送信する（図１８のステップＳ４０９）。
【０１１９】
次いで、交換局１０−１は、中継局３０−１から確認応答を受信すると、ＨＯ命令をソース基地局であるＭｅＮＢ２０−１へ送信する（図１８のステップＳ４１０）。本例では、ＨＯ命令は、Ｓ１ＡＰに従った、Ｈａｎｄｏｖｅｒ  Ｃｏｍｍａｎｄメッセージである。そして、ＭｅＮＢ２０−１は、交換局１０−１からＨＯ命令を受信すると、ＨＯ命令をＵＥ５０−１へ送信する（図１８のステップＳ４１１）。
【０１２０】
以上、説明したように、第１実施形態に係る中継局３０は、ホーム基地局識別情報のうちの、上位部分が同一であるホーム基地局識別情報により識別されるホーム基地局４０により構成される基地局群毎に、交換局側通信インタフェースを１つずつ確立する。
【０１２１】
これによれば、１つの基地局群を構成する複数のホーム基地局４０に対して、１つの交換局側通信インタフェースのみが確立される。これにより、複数のホーム基地局４０のそれぞれが、互いに独立に、交換局１０との間に通信インタフェースを確立する場合と比較して、交換局１０と直接に通信を行う他局と交換局１０との間に確立される通信インタフェースの数を低減することができる。この結果、交換局１０の負荷を低減することができる。
【０１２２】
更に、宛先がホーム基地局４０である情報を交換局１０が送信する場合、交換局１０が、ホーム基地局識別情報のうちの上位部分に基づいて、当該ホーム基地局４０と交換局１０との間の通信を中継する中継局３０を識別（特定）することができる。この結果、交換局１０からホーム基地局４０へ情報を確実に伝達することができる。
【０１２３】
このように、上記構成によれば、交換局１０の負荷を低減しながら、交換局１０からホーム基地局４０へ情報を確実に伝達することができる。
【０１２４】
更に、第１実施形態に係る中継局３０は、一次確立要求がホーム基地局４０から受信された場合、二次確立要求を交換局１０へ送信する。ここで、二次確立要求は、当該一次確立要求に含まれるホーム基地局識別情報のうちの上位部分を、自局３０を識別するためのマクロ基地局識別情報として含むとともに、交換局側通信インタフェースを確立するための処理を要求する情報である。
【０１２５】
これによれば、交換局１０の負荷を低減しながら、交換局１０からホーム基地局４０へ情報を確実に伝達することができる。
【０１２６】
加えて、第１実施形態に係る中継局３０は、受信された一次確立要求に含まれるホーム基地局識別情報のうちの上位部分と、既に確立されている交換局側通信インタフェースを確立するために交換局１０へ送信された二次確立要求の少なくとも１つに含まれるマクロ基地局識別情報と、が一致するとき、二次確立要求を交換局１０へ送信しない。
【０１２７】
これによれば、既に確立されている交換局側通信インタフェースを確立するための二次確立要求が無駄に送信されることを回避することができる。
【０１２８】
更に、第１実施形態に係る中継局３０は、送信された二次確立要求に含まれるマクロ基地局識別情報と、当該二次確立要求を送信する基となった一次確立要求に含まれるホーム基地局識別情報と、を対応付けて記憶する。更に、中継局３０は、受信された一次確立要求に含まれるホーム基地局識別情報のうちの上位部分が、記憶されているマクロ基地局識別情報と一致するとき、二次確立要求を交換局１０へ送信しない。
【０１２９】
加えて、第１実施形態に係る中継局３０は、第１更新要求送信条件及び第２更新要求送信条件の両方が成立する場合、二次確立要求を交換局１０へ送信することなく、更新要求を交換局１０へ送信する。
【０１３０】
これによれば、既に確立されている交換局側通信インタフェースを確立するための二次確立要求が無駄に送信されることを回避することができる。更に、１つの基地局群を構成する複数のホーム基地局４０に割り当てられた領域が互いに異なる場合であっても、当該複数のホーム基地局４０の領域情報を交換局１０へ伝達することができる。
【０１３１】
更に、第１実施形態に係る中継局３０は、ホーム基地局識別情報を含むとともに、ホーム基地局４０に所定の処理を実行するように要求する処理要求を交換局１０から受信した場合、当該ホーム基地局識別情報により識別されるホーム基地局４０へ当該処理要求を送信する。
【０１３２】
これによれば、中継局３０は、処理要求をホーム基地局４０へ確実に伝達することができる。この結果、交換局１０からホーム基地局４０へ処理要求を確実に伝達することができる。
【０１３３】
なお、第１実施形態に係る通信システム１は、各中継局３０に少なくとも１つのＧｒｏｕｐ  ＩＤを割り当てるように構成されていてもよい。この場合、通信システム１は、任意の１つの中継局３０に割り当てられたＧｒｏｕｐ  ＩＤが、他の中継局３０に割り当てられたＧｒｏｕｐ  ＩＤのいずれとも異なる（即ち、重複しない）ように、各中継局３０にＧｒｏｕｐ  ＩＤを割り当てることが好適である。
【０１３４】
更に、この場合、中継局３０は、受信された一次確立要求に含まれるＭｅＮＢ  ＩＤのうちの上位部分が、自局３０に割り当てられたＧｒｏｕｐ  ＩＤのいずれかと一致するときにのみ、二次確立要求又は更新要求を送信することが好適である。
【０１３５】
また、第１実施形態に係る通信システム１は、二次確立要求を送信する（図７のステップＳ１０４）前に、Ｇｒｏｕｐ  ＩＤ、ＴＡＣ、及び、ＨｅＮＢ  ＩＤを記憶する（図７のステップＳ１０３）ように構成されていた。ところで、通信システム１は、二次確立要求を送信した後に、Ｇｒｏｕｐ  ＩＤ、ＴＡＣ、及び、ＨｅＮＢ  ＩＤを記憶するように構成されていてもよい。
【０１３６】
また、第１実施形態に係る通信システム１は、二次確立要求を送信する（図７のステップＳ１０４）前に、Ｇｒｏｕｐ  ＩＤ、ＴＡＣ、及び、ＨｅＮＢ  ＩＤを記憶する（図７のステップＳ１０３）ように構成されていた。ところで、通信システム１は、二次確立要求を送信した後に、Ｇｒｏｕｐ  ＩＤ、ＴＡＣ、及び、ＨｅＮＢ  ＩＤを記憶するように構成されていてもよい。また、通信システム１は、Ｓ１確立応答を受信し（図７のステップＳ１０５）た後、又は、Ｓ１確立応答を送信し（図７のステップＳ１０６）た後に、Ｇｒｏｕｐ  ＩＤ、ＴＡＣ、及び、ＨｅＮＢ  ＩＤを記憶するように構成されていてもよい。
【０１３７】
同様に、第１実施形態に係る通信システム１は、更新要求を送信する（図７のステップＳ１０９）前に、Ｇｒｏｕｐ  ＩＤ、ＴＡＣ、及び、ＨｅＮＢ  ＩＤを記憶する（図７のステップＳ１０８）ように構成されていた。ところで、通信システム１は、更新要求を送信した後に、Ｇｒｏｕｐ  ＩＤ、ＴＡＣ、及び、ＨｅＮＢ  ＩＤを記憶するように構成されていてもよい。また、通信システム１は、確認応答を受信し（図７のステップＳ１１０）た後、又は、Ｓ１確立応答を送信し（図７のステップＳ１１１）た後に、Ｇｒｏｕｐ  ＩＤ、ＴＡＣ、及び、ＨｅＮＢ  ＩＤを記憶するように構成されていてもよい。
【０１３８】
また、第１実施形態に係る通信システム１は、確立されている通信インタフェースが解放（通信インタフェースの確立が解除）された場合、当該通信インタフェースを確立する際に記憶された情報（例えば、Ｇｒｏｕｐ  ＩＤ、ＴＡＣ、及び、ＨｅＮＢ  ＩＤ等）を削除（消去）するように構成されていてもよい。
【０１３９】
＜第２実施形態＞
次に、本発明の第２実施形態に係る通信システムについて説明する。第２実施形態に係る通信システムは、上記第１実施形態に係る通信システムに対して、交換局がＨＯ要求に含まれるＴＡＩに基づいて、ＨＯ依頼の送信先となる送信先局を決定する点において相違している。以下、かかる相違点を中心として説明する。なお、第２実施形態の説明において、上記第１実施形態にて使用した符号と同じ符号を付したものは、同一又はほぼ同様のものである。
【０１４０】
図１９に示したように、第２実施形態に係る通信システム１Ａは、第１実施形態に係る交換局１０に代えて、交換局１０Ａを備える。交換局１０Ａの機能は、第１実施形態に係る交換局１０の機能の、ＨＯ依頼送信部１０４をＨＯ依頼送信部１０４Ａに置換した機能である。なお、本例では、ＨＯ要求は、ターゲット基地局に割り当てられた領域を表すＴＡＣを含むＴＡＩを含む。
【０１４１】
ＨＯ依頼送信部１０４Ａは、ＨＯ要求受信部１０３によりＨＯ要求が受信された場合、受信されたＨＯ要求に含まれるＴＡＩに基づいて、送信先の他局（送信先局）を決定する。具体的には、ＨＯ依頼送信部１０４Ａは、ＴＡＩに含まれるＴＡＣと対応付けて記憶されているＭｅＮＢ  ＩＤにより識別される、ＭｅＮＢ２０又は中継局３０を送信先局として決定する。ＨＯ依頼送信部１０４Ａは、受信されたＨＯ要求に含まれるｅＮＢ  ＩＤ及びＴＡＩを含むＨＯ依頼を、決定された送信先局へ送信する。
【０１４２】
このように構成された通信システム１Ａによっても、第１実施形態に係る通信システム１と同様の作用及び効果を奏することができる。
【０１４３】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１４４】
なお、上記各実施形態において、各局の各機能は、回路等のハードウェアにより実現されていた。ところで、各局は、処理装置と、プログラム（ソフトウェア）を記憶する記憶装置と、を備えるコンピュータを有するとともに、処理装置がそのプログラムを実行することにより、各機能を実現するように構成されていてもよい。この場合、プログラムは、コンピュータ読み取り可能な記録媒体に記憶されていてもよい。例えば、記録媒体は、フレキシブルディスク、光ディスク、光磁気ディスク、及び、半導体メモリ等の可搬性を有する媒体である。
【０１４５】
また、本発明の趣旨を逸脱しない範囲内において、上記実施形態の他の変形例として、上述した実施形態及び変形例の任意の組み合わせが採用されてもよい。
【符号の説明】
【０１４６】
１，１Ａ  通信システム
１０，１０Ａ  交換局（ＭＭＥ）
１１    通信装置
１２    制御装置
１３    記憶装置
１０１  確立要求受信部
１０２  局情報記憶部
１０３  ＨＯ要求受信部
１０４，１０４Ａ  ＨＯ依頼送信部
１０５  確立応答送信部
２０    マクロ基地局（ＭｅＮＢ）
３０    中継局（ＨｅＮＢ  ＧＷ）
３１    通信装置
３２    制御装置
３３    記憶装置
３１０  確立要求処理部
３１１  基地局情報記憶部
３１２  一次確立要求受信部
３１３  二次確立要求送信部
３１４  更新要求送信部
３１５  確立応答送信部
３２０  ＨＯ依頼処理部
３２１  ＨＯ依頼受信部
３２２  ＨＯ依頼送信部
４０    ホーム基地局（ＨｅＮＢ）
４１    第１の通信装置
４２    第２の通信装置
４３    制御装置
４４    記憶装置
４０１  一次確立要求送信部
４０２  ＨＯ依頼受信部
５０    移動局（ＵＥ）
【図１】
2014155513.tif 000003
【図２】
2014155513.tif 000004
【図３】
2014155513.tif 000005
【図４】
2014155513.tif 000006
【図５】
2014155513.tif 000007
【図６】
2014155513.tif 000008
【図７】
2014155513.tif 000009
【図８】
2014155513.tif 000010
【図９】
2014155513.tif 000011
【図１０】
2014155513.tif 000012
【図１１】
2014155513.tif 000013
【図１２】
2014155513.tif 000014
【図１３】
2014155513.tif 000015
【図１４】
2014155513.tif 000016
【図１５】
2014155513.tif 000017
【図１６】
2014155513.tif 000018
【図１７】
2014155513.tif 000019
【図１８】
2014155513.tif 000020
【図１９】
2014155513.tif 000021
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
ホームセルを提供する複数のホーム基地局のそれぞれと交換局との間の通信インタフェースを介した通信を中継する中継局であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、当該中継局と当該交換局との間の部分としての交換局側通信インタフェースを、１つずつ確立するように構成された中継局。
【請求項２】
請求項１に記載の中継局であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された通信部を備える中継局。
【請求項３】
請求項２に記載の中継局であって、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しないように構成された中継局。
【請求項４】
請求項３に記載の中継局であって、
前記送信された二次確立要求に含まれるマクロ基地局識別情報と、当該二次確立要求を送信する基となった前記一次確立要求に含まれるホーム基地局識別情報と、を対応付けて記憶する記憶部を備え、
前記通信部は、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しないように構成された中継局。
【請求項５】
請求項３又は請求項４に記載の中継局であって、
前記一次確立要求は、前記ホーム基地局の領域を表す領域情報を含み、
前記二次確立要求は、前記受信された一次確立要求に含まれる領域情報を含み、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信するように構成された中継局。
【請求項６】
請求項１乃至請求項５のいずれか一項に記載の中継局であって、
前記通信部は、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信するように構成された中継局。
【請求項７】
ホームセルを提供する複数のホーム基地局のそれぞれと交換局との間の通信インタフェースを介した通信を中継する中継局の制御方法であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、制御方法。
【請求項８】
請求項７に記載の制御方法であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、制御方法。
【請求項９】
ホームセルを提供する複数のホーム基地局のそれぞれと交換局との間の通信インタフェースを介した通信を中継する中継局を制御するための制御プログラムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、処理をコンピュータに実行させるための制御プログラム。
【請求項１０】
請求項９に記載の制御プログラムであって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、処理をコンピュータに実行させるための制御プログラム。
【請求項１１】
ホームセルを提供する複数のホーム基地局と、
前記複数のホーム基地局のそれぞれと交換局との間の通信インタフェースを介した通信を中継する中継局と、
を備える通信システムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立するように構成された通信システム。
【請求項１２】
請求項１１に記載の通信システムであって、
前記複数のホーム基地局のそれぞれは、
当該ホーム基地局を識別するためのホーム基地局識別情報を含むとともに、前記交換局と当該ホーム基地局との間の通信インタフェースを確立するための処理を要求する一次確立要求を前記中継局へ送信する第１の通信部を備え、
前記中継局は、
前記ホーム基地局から前記一次確立要求を受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された第２の通信部を備える通信システム。
【手続補正２】
【補正対象書類名】明細書
【補正対象項目名】０１４５
【補正方法】変更
【補正の内容】
【０１４５】
また、本発明の趣旨を逸脱しない範囲内において、上記実施形態の他の変形例として、上述した実施形態及び変形例の任意の組み合わせが採用されてもよい。
＜付記＞
以上の実施形態に関し、さらに以下の付記を開示する。
（付記１）
ホームセルを提供する複数のホーム基地局のそれぞれと交換局との間の通信インタフェースを介した通信を中継する中継局であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、当該中継局と当該交換局との間の部分としての交換局側通信インタフェースを、１つずつ確立するように構成された中継局。
（付記２）
付記１に記載の中継局であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された通信部を備える中継局。
（付記３）
付記２に記載の中継局であって、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しないように構成された中継局。
（付記４）
付記３に記載の中継局であって、
前記送信された二次確立要求に含まれるマクロ基地局識別情報と、当該二次確立要求を送信する基となった前記一次確立要求に含まれるホーム基地局識別情報と、を対応付けて記憶する記憶部を備え、
前記通信部は、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しないように構成された中継局。
（付記５）
付記３又は付記４に記載の中継局であって、
前記一次確立要求は、前記ホーム基地局の領域を表す領域情報を含み、
前記二次確立要求は、前記受信された一次確立要求に含まれる領域情報を含み、
前記通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信するように構成された中継局。
（付記６）
付記１乃至付記５のいずれか一項に記載の中継局であって、
前記通信部は、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信するように構成された中継局。
（付記７）
ホームセルを提供する複数のホーム基地局のそれぞれと交換局との間の通信インタフェースを介した通信を中継する中継局の制御方法であって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、制御方法。
（付記８）
付記７に記載の制御方法であって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、制御方法。
（付記９）
付記８に記載の制御方法であって、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しない、制御方法。
（付記１０）
付記９に記載の制御方法であって、
前記送信された二次確立要求に含まれるマクロ基地局識別情報と、当該二次確立要求を送信する基となった前記一次確立要求に含まれるホーム基地局識別情報と、を対応付けて記憶し、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しない、制御方法。
（付記１１）
付記９又は付記１０に記載の制御方法であって、
前記一次確立要求は、前記ホーム基地局の領域を表す領域情報を含み、
前記二次確立要求は、前記受信された一次確立要求に含まれる領域情報を含み、
前記制御方法は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信する、制御方法。
（付記１２）
付記７乃至付記１１のいずれか一項に記載の制御方法であって、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信する、制御方法。
（付記１３）
ホームセルを提供する複数のホーム基地局のそれぞれと交換局との間の通信インタフェースを介した通信を中継する中継局を制御するための制御プログラムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立する、処理をコンピュータに実行させるための制御プログラム。
（付記１４）
付記１３に記載の制御プログラムであって、
前記ホーム基地局を識別するためのホーム基地局識別情報を含むとともに、前記交換局と当該ホーム基地局との間の通信インタフェースを確立するための処理を要求する一次確立要求を当該ホーム基地局から受信し、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信する、処理をコンピュータに実行させるための制御プログラム。
（付記１５）
付記１４に記載の制御プログラムであって、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しない、処理をコンピュータに実行させるための制御プログラム。
（付記１６）
付記１５に記載の制御プログラムであって、
前記送信された二次確立要求に含まれるマクロ基地局識別情報と、当該二次確立要求を送信する基となった前記一次確立要求に含まれるホーム基地局識別情報と、を対応付けて記憶し、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しない、処理をコンピュータに実行させるための制御プログラム。
（付記１７）
付記１５又は付記１６に記載の制御プログラムであって、
前記一次確立要求は、前記ホーム基地局の領域を表す領域情報を含み、
前記二次確立要求は、前記受信された一次確立要求に含まれる領域情報を含み、
前記制御プログラムは、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信する、処理をコンピュータに実行させるための制御プログラム。
（付記１８）
付記１３乃至付記１７のいずれか一項に記載の制御プログラムであって、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信する、処理をコンピュータに実行させるための制御プログラム。
（付記１９）
ホームセルを提供する複数のホーム基地局と、
前記複数のホーム基地局のそれぞれと交換局との間の通信インタフェースを介した通信を中継する中継局と、
を備える通信システムであって、
ホーム基地局を識別するための第１のデータ長を有するホーム基地局識別情報のうちの、前記ホームセルよりも広いマクロセルを提供するマクロ基地局を識別するための、当該第１のデータ長よりも短い第２のデータ長を有するマクロ基地局識別情報と同じデータ長を有し且つ最上位から連続して配置された上位部分が同一であるホーム基地局識別情報により識別されるホーム基地局により構成される基地局群毎に、当該基地局群を構成するホーム基地局のそれぞれが前記交換局と通信を行うために用いる通信インタフェースのうちの、前記中継局と当該交換局との間の部分としての交換局側通信インタフェースを、１つずつ確立するように構成された通信システム。
（付記２０）
付記１９に記載の通信システムであって、
前記複数のホーム基地局のそれぞれは、
当該ホーム基地局を識別するためのホーム基地局識別情報を含むとともに、前記交換局と当該ホーム基地局との間の通信インタフェースを確立するための処理を要求する一次確立要求を前記中継局へ送信する第１の通信部を備え、
前記中継局は、
前記ホーム基地局から前記一次確立要求を受信するように構成され、且つ、
前記一次確立要求が受信された場合、当該一次確立要求に含まれる前記ホーム基地局識別情報のうちの前記上位部分を、当該中継局を識別するためのマクロ基地局識別情報として含むとともに、前記交換局側通信インタフェースを確立するための処理を要求する二次確立要求を当該交換局へ送信するように構成された第２の通信部を備える通信システム。
（付記２１）
付記２０に記載の通信システムであって、
前記第２の通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致するとき、前記二次確立要求を前記交換局へ送信しないように構成された通信システム。
（付記２２）
付記２１に記載の通信システムであって、
前記中継局は、
前記送信された二次確立要求に含まれるマクロ基地局識別情報と、当該二次確立要求を送信する基となった前記一次確立要求に含まれるホーム基地局識別情報と、を対応付けて記憶する記憶部を備え、
前記第２の通信部は、
前記一次確立要求が受信された場合において、当該一次確立要求に含まれるホーム基地局識別情報のうちの前記上位部分が、前記記憶されているマクロ基地局識別情報と一致するとき、前記二次確立要求を前記交換局へ送信しないように構成された通信システム。
（付記２３）
付記２１又は付記２２に記載の通信システムであって、
前記一次確立要求は、前記ホーム基地局の領域を表す領域情報を含み、
前記二次確立要求は、前記受信された一次確立要求に含まれる領域情報を含み、
前記第２の通信部は、
前記一次確立要求が受信された場合において、当該一次確立要求に含まれる前記ホーム基地局識別情報のうちの前記上位部分と、既に確立されている交換局側通信インタフェースを確立するために前記交換局へ送信された前記二次確立要求の少なくとも１つに含まれるマクロ基地局識別情報と、が一致し、且つ、当該二次確立要求に含まれる領域情報と、当該一次確立要求に含まれる領域情報と、が異なるとき、前記二次確立要求を前記交換局へ送信することなく、当該一次確立要求に含まれる領域情報を含むとともに、領域情報の追加を要求する更新要求を当該交換局へ送信するように構成された通信システム。
（付記２４）
付記１９乃至付記２３のいずれか一項に記載の通信システムであって、
前記第２の通信部は、
前記ホーム基地局を識別するためのホーム基地局識別情報を含むとともに、当該ホーム基地局に所定の処理を実行するように要求する処理要求を前記交換局から受信した場合、当該ホーム基地局識別情報により識別されるホーム基地局へ当該処理要求を送信するように構成された通信システム。
【国際調査報告】
2014155513.tif 000022
2014155513.tif 000023
2014155513.tif 000024